(57)【要約】【課題】発電手段冷却用の冷却用流体を用いて貯湯と加熱対象の加熱を共に行うに当たって、冷却用流体を適切に冷却しながら貯湯温度を高くする。【解決手段】貯湯タンク１の湯水を貯湯用熱交換器Ｅにわたって循環させる貯湯用湯水循環路３と、熱媒を加熱用熱交換器４５と放熱部Ｈとにわたって循環させる加熱用熱媒循環路３７とが設けられ、発電手段Ｂを冷却する冷却用流体を循環させる冷却用流体循環路１２が、冷却用流体を貯湯用熱交換器Ｅ及び加熱用熱交換器４５に通流させるように設けられ、貯湯用熱交換器Ｅとして、低温側貯湯用熱交換器６と高温側貯湯用熱交換５とが、貯湯用湯水循環３にその湯水通流方向の上流側から順に直列状に設けられ、冷却用流体循環路１２が、発電手段Ｂからの冷却用流体を高温側貯湯用熱交換器５、加熱用熱交換器４５、低温側貯湯用熱交換器６の順に通流させるように設けられている。【選択図】        図１
2004340439.tif 000002
【特許請求の範囲】
【請求項１】
貯湯タンクの湯水をその湯水を加熱する貯湯用熱交換器にわたって循環させる貯湯用湯水循環路と、
熱媒をその熱媒を加熱する加熱用熱交換器とその熱媒を熱源として加熱対象を加熱する放熱部とにわたって循環させる加熱用熱媒循環路とが設けられ、
発電手段を冷却する冷却用流体を循環させる冷却用流体循環路が、冷却用流体を前記貯湯用熱交換器及び前記加熱用熱交換器に通流させるように設けられた排熱利用熱源装置であって、
前記貯湯用熱交換器として、低温側貯湯用熱交換器と高温側貯湯用熱交換器とが、前記貯湯用湯水循環路にその湯水通流方向の上流側から順に直列状に設けられ、
前記冷却用流体循環路が、前記発電手段からの冷却用流体を前記高温側貯湯用熱交換器、前記加熱用熱交換器、前記低温側貯湯用熱交換器の順に通流させるように設けられている排熱利用熱源装置。
【請求項２】
冷却用流体を前記高温側貯湯用熱交換器と前記加熱用熱交換器とに分流する分流状態に切り換え自在で、且つ、その分流比を調節自在な分流手段が設けられている請求項１記載の排熱利用熱源装置。
【請求項３】
前記冷却用流体を前記高温側貯湯用熱交換器を迂回させて通流させる迂回状態に切り換え自在な高温側迂回手段が設けられている請求項１記載の排熱利用熱源装置。
【請求項４】
加熱作動を制御自在な補助加熱手段が、前記加熱用熱媒循環路を通流する熱媒を加熱するように設けられ、
冷却用流体を前記高温側貯湯用熱交換器を迂回させて通流させる迂回状態に切り換え自在な高温側迂回手段と、
冷却用流体を前記低温側貯湯用熱交換器を迂回させて通流させる迂回状態に切り換え自在な低温側迂回手段とが設けられている請求項１記載の排熱利用熱源装置。
【発明の詳細な説明】
【０００１】
【発明の属する技術分野】
本発明は、貯湯タンクの湯水をその湯水を加熱する貯湯用熱交換器にわたって循環させる貯湯用湯水循環路と、
熱媒をその熱媒を加熱する加熱用熱交換器とその熱媒を熱源として加熱対象を加熱する放熱部とにわたって循環させる加熱用熱媒循環路とが設けられ、
発電手段を冷却する冷却用流体を循環させる冷却用流体循環路が、冷却用流体を前記貯湯用熱交換器及び前記加熱用熱交換器に通流させるように設けられた排熱利用熱源装置に関する。
【０００２】
【従来の技術】
かかる排熱利用熱源装置は、貯湯タンクの湯水を貯湯用湯水循環路を通じて貯湯用熱交換器にわたって循環させ、熱媒を加熱用熱媒循環路を通じて加熱用熱交換器と放熱部とにわたって循環させ、並びに、発電手段を冷却する冷却用流体を発電手段、前記貯湯用熱交換器及び加熱用熱交換器にわたって循環させて、貯湯用熱交換器において、発電手段の排熱を保有して発電手段から流出してきた冷却用流体にて貯湯用湯水循環路を通流する湯水を加熱して、貯湯タンクに貯湯し、加熱用熱交換器において発電手段からの冷却用流体にて加熱用熱媒循環路を通流する熱媒を加熱して、その熱媒の保有熱を放熱部にて放熱させるものである。
ちなみに、前記放熱部としては、暖房対象域を加熱対象として、その暖房対象域を暖房する暖房部や、浴槽の湯水を加熱対象として、その浴槽の湯水を加熱する追焚部等がある。
【０００３】
このような排熱利用熱源機において、従来は、冷却用流体循環路を設けるに、発電手段からの冷却用流体を貯湯用熱交換器と加熱用熱交換器とに分配して通流させる、つまり分流させるように設けたり、発電手段からの冷却用流体を加熱用熱交換器、貯湯用熱交換器の順に通流させるように設けたりしていた（例えば、特許文献１参照。）。
【０００４】
【特許文献１】
特開２００２−２４８９０５号公報（第４〜５頁、第７〜８図）
【０００５】
【発明が解決しようとする課題】
しかしながら、上記従来の排熱利用熱源装置において、発電手段からの冷却用流体を貯湯用熱交換器と加熱用熱交換器とに分流させるものでは、加熱用熱交換器にて冷却用流体を十分に冷却することができないので、冷却用流体を適切に冷却することができないという問題があった。加熱用熱交換器にて冷却用流体を十分に冷却することができない点について説明を加えると、加熱用熱媒循環路を通じて熱媒が加熱用熱交換器と放熱部とにわたって循環することから、暖房部の暖房負荷が小さかったり、追焚する浴槽の湯水の温度が高いときのように、放熱部での放熱量が少ないとき等では、加熱用熱交換器に戻ってくる熱媒の温度が高くなって、熱媒の温度と冷却用流体との温度差が小さくなり易く、冷却用流体を冷却し難くかった。
又、上記従来の排熱利用熱源装置において、発電手段からの冷却用流体を加熱用熱交換器、貯湯用熱交換器の順に通流させるものでは、貯湯用熱交換器において、加熱用熱交換器にて加熱用熱媒循環路を通流する熱媒と熱交換して温度が低下した冷却用流体と、貯湯タンクからの加熱対象の湯水とを熱交換させることになるので、その熱交換により、冷却用流体を適切に冷却することは可能であるものの、冷却用流体の温度が低下していることから加熱対象の湯水を高温に加熱し難く、もって、貯湯タンクの貯湯温度を高くし難いという問題があった。
【０００６】
本発明は、かかる実情に鑑みてなされたものであり、その目的は、発電手段冷却用の冷却用流体を用いて貯湯タンクへの貯湯と加熱対象の加熱を共に行うに当たって、冷却用流体を適切に冷却することができながら、貯湯温度を高くすることができるようにすることにある。
【０００７】
【課題を解決するための手段】
〔請求項１記載の発明〕
請求項１に記載の排熱利用熱源装置は、貯湯タンクの湯水をその湯水を加熱する貯湯用熱交換器にわたって循環させる貯湯用湯水循環路と、
熱媒をその熱媒を加熱する加熱用熱交換器とその熱媒を熱源として加熱対象を加熱する放熱部とにわたって循環させる加熱用熱媒循環路とが設けられ、
発電手段を冷却する冷却用流体を循環させる冷却用流体循環路が、冷却用流体を前記貯湯用熱交換器及び前記加熱用熱交換器に通流させるように設けられたものであって、
前記貯湯用熱交換器として、低温側貯湯用熱交換器と高温側貯湯用熱交換器とが、前記貯湯用湯水循環路にその湯水通流方向の上流側から順に直列状に設けられ、
前記冷却用流体循環路が、前記発電手段からの冷却用流体を前記高温側貯湯用熱交換器、前記加熱用熱交換器、前記低温側貯湯用熱交換器の順に通流させるように設けられている点を特徴構成とする。
即ち、発電手段からの冷却用流体は、高温側貯湯用熱交換器、加熱用熱交換器、低温側貯湯用熱交換器の順に通流し、貯湯タンクからの加熱対象の湯水は、貯湯用湯水循環路を通じて、低温側貯湯用熱交換器、高温側貯湯用熱交換器の順に通流して貯湯タンクに流入し、熱媒は、加熱用熱媒循環路を通じて加熱用熱交換器と放熱部とにわたって循環することから、貯湯タンクからの加熱対象の湯水は、低温側貯湯用熱交換器にて、高温側貯湯用熱交換器、加熱用熱交換器を順に通流してきた発電手段からの冷却用流体により加熱され、更に、高温側貯湯用熱交換器にて、発電手段からの冷却用流体により加熱され、一方、加熱用熱媒循環路を循環する熱媒は、加熱用熱交換器にて、高温側貯湯用熱交換器を通流してきた発電手段からの冷却用流体により加熱される。
つまり、発電手段からの冷却用流体は、高温側貯湯用熱交換器において、低温側貯湯用熱交換器を通過してきた貯湯タンクからの加熱対象の湯水との熱交換により冷却し、続いて、加熱用熱交換器において、加熱用熱媒循環路を通流する熱媒との熱交換により冷却し、更に、低温側貯湯用熱交換器において、貯湯タンクからの加熱対象の湯水との熱交換により冷却するので、冷却用流体を適切に冷却した後、発電手段に戻すことが可能となる。
一方、貯湯タンクからの加熱対象の湯水は、低温側貯湯用熱交換器において、高温側貯湯用熱交換器、加熱用熱交換器を順に通流してきた発電手段からの冷却用流体との熱交換により加熱し、更に、高温側貯湯用熱交換器にて、発電手段からの冷却用流体との熱交換により加熱するので、貯湯タンクに戻す湯水の温度を高くして貯湯温度を高くすることが可能となる。
しかも、高温側貯湯用熱交換器においては、発電手段からの冷却用流体を、低温側貯湯用熱交換器を通過して昇温した貯湯タンクからの湯水と熱交換するものであり、熱交換対象の湯水との温度差が小さくなることから、高温側貯湯用熱交換器にて冷却用流体の保有熱量を貯湯タンクからの加熱対象の湯水に与え過ぎるのに起因して、加熱用熱交換器にて冷却用流体から熱媒に与える熱量が少なくなるのを抑制することが可能となるので、放熱部での放熱量が少なくなって加熱対象の加熱能力が低下するのを抑制することが可能となる。
従って、発電手段冷却用の冷却用流体を用いて貯湯タンクへの貯湯と加熱対象の加熱を共に行うに当たって、冷却用流体を適切に冷却することができながら、貯湯温度を高くすることができるようになった。
【０００８】
〔請求項２記載の発明〕
請求項２に記載の排熱利用熱源装置は、請求項１において、冷却用流体を前記高温側貯湯用熱交換器と前記加熱用熱交換器とに分流する分流状態に切り換え自在で、且つ、その分流比を調節自在な分流手段が設けられている点を特徴構成とする。
即ち、分流手段により、冷却用流体を高温側貯湯用熱交換器と加熱用熱交換器とに分流する分流状態に切り換えると共に、高温側貯湯用熱交換器と加熱用熱交換器とに分流する分流比を調節することができる。
つまり、発電手段の排熱を貯湯タンクへの貯湯用と加熱対象の加熱用とに所望に配分するように、分流手段により、冷却用流体を高温側貯湯用熱交換器と加熱用熱交換器とに分流することが可能となる。
例えば、貯湯タンクへ戻す湯水の温度が所定の目標温度になるように、分流手段にて分流比を調節するようにすると、貯湯タンクでの貯湯温度を安定化することが可能となり、延いては、給湯温度を安定化することが可能となる。
発電手段の排熱を貯湯タンクへの貯湯用と加熱対象の加熱用とに所望通りに配分するように運転することが可能になり、使い勝手性を向上することができるようになった。
【０００９】
〔請求項３記載の発明〕
請求項３に記載の排熱利用熱源装置は、請求項１において、前記冷却用流体を前記高温側貯湯用熱交換器を迂回させて通流させる迂回状態に切り換え自在な高温側迂回手段が設けられている点を特徴構成とする。
即ち、高温側迂回手段により、冷却用流体を高温側貯湯用熱交換器を迂回させる迂回状態に切り換えることにより、発電手段からの冷却用流体を、高温側貯湯用熱交換器を迂回させる状態で、加熱用熱交換器、低温側貯湯用熱交換器の順に通流させるように運転することができる。
そして、高温側迂回手段により迂回状態に切り換え、発電手段からの冷却用流体を高温側貯湯用熱交換器を迂回させて最初に加熱用熱交換器に通流させるように運転することにより、加熱用熱交換器において冷却用流体から熱媒に回収する排熱量を多くして、放熱部での放熱量を多くすることが可能となるので、放熱部にて加熱対象を加熱する加熱能力を大きくすることができる。
例えば、暖房部による暖房の開始時や、追焚部にて追焚するときに浴槽の湯水の温度が低いとき等、放熱部による加熱能力を大きくすることが必要ときに、高温側迂回手段により迂回状態に切り換えて運転すると、放熱部による加熱能力を大きくすることが可能となるので、好適である。
従って、必要に応じて、加熱対象の加熱能力を大きくするように運転することが可能になるので、使い勝手性を向上することができるようになった。
【００１０】
〔請求項４記載の発明〕
請求項４に記載の排熱利用熱源装置は、請求項１において、加熱作動を制御自在な補助加熱手段が、前記加熱用熱媒循環路を通流する熱媒を加熱するように設けられ、
冷却用流体を前記高温側貯湯用熱交換器を迂回させて通流させる迂回状態に切り換え自在な高温側迂回手段と、
冷却用流体を前記低温側貯湯用熱交換器を迂回させて通流させる迂回状態に切り換え自在な低温側迂回手段とが設けられている点を特徴構成とする。
即ち、高温側迂回手段及び低温側迂回手段夫々を迂回状態に切り換えて、発電手段からの冷却用流体を高温側及び低温側の両貯湯用熱交換器を迂回させて、加熱用熱交換器のみを通流させ、熱媒を補助加熱手段にて加熱しながら加熱用熱媒循環路を循環させて、加熱用熱交換器において、補助加熱手段にて加熱された熱媒により冷却用流体を加熱する状態にて、運転することが可能となる。
例えば、発電手段の起動時に、高温側迂回手段及び低温側迂回手段夫々を迂回状態に切り換えると共に、補助加熱手段を加熱作動させるように運転すると、加熱用熱交換器において、熱媒にて冷却用流体を加熱することが可能となるので、発電手段の起動時間を短縮することが可能となる。
従って、発電手段の起動時等、必要に応じて発電手段からの冷却用流体を加熱するように運転することが可能になるので、使い勝手性を向上することができるようになった。
【００１１】
【発明の実施の形態】
以下、図面に基づいて、本発明にかかる排熱利用熱源装置をコージェネレーションシステムに適用した場合の第１実施形態を説明する。
図１に示すように、コージェネレーションシステムは、燃料電池発電装置Ｂと、その燃料電池発電装置Ｂからの排熱を用いて、貯湯タンク１内に温度成層を形成しながら貯湯したり、貯湯タンク１内に貯湯された湯水を給湯したり、床暖房パネル２にて暖房対象域を暖房したり、浴槽Ｙの湯水を追焚したりする貯湯暖房装置Ａとを備えて構成してある。
【００１２】
前記貯湯暖房装置Ａは、この貯湯暖房装置Ａの運転を制御する貯湯暖房制御部Ｃ、貯湯タンク１、その貯湯タンク１内の湯水をその湯水を加熱する貯湯用熱交換器Ｅにわたって貯湯用ポンプ４にて循環させる貯湯用湯水循環路３、熱媒をその熱媒を加熱する加熱用熱交換器４５とその熱媒を熱源として加熱対象を加熱する放熱部Ｈとにわたって加熱用ポンプ３８にて循環させる加熱用熱媒循環路３７、及び、貯湯タンク１内の湯水を風呂場や台所等の給湯箇所に給湯する給湯路７等を備えて構成し、燃料電池発電装置Ｂを冷却する冷却水（冷却用流体に相当する）を循環させる冷却水循環路（冷却用流体循環路に相当する）１２を、冷却水を前記貯湯用熱交換器Ｅ及び前記加熱用熱交換器４５に通流させるように設けてある。
【００１３】
前記放熱部Ｈとして、加熱用熱媒循環路３７に設けた暖房放熱用熱交換器３９、床暖房パネル２、暖房放熱用熱交換器３９と床暖房パネル２とにわたる暖房用熱媒循環路８、及び、その暖房用熱媒循環路８を通じて熱媒を循環させる暖房用ポンプ９等から構成した暖房部Ｗを設けてある。そして、暖房放熱用熱交換器３９において、加熱用熱媒循環路３７を循環する熱媒にて暖房用熱媒循環路８を循環する熱媒を加熱して、その加熱された熱媒の保有熱を床暖房パネル２にて放熱させて、加熱対象としての暖房対象域を暖房するようにしてある。
又、放熱部Ｈとして、加熱用熱媒循環路３７に風呂放熱用熱交換器４１を設け、その風呂放熱用熱交換器４１に、風呂用循環路１０を通じて風呂用ポンプ１１にて浴槽Ｙの湯水を加熱対象として循環させるようにしてある。そして、風呂放熱用熱交換器４１において、加熱用熱媒循環路３７を循環する熱媒にて風呂用循環路１０を循環する浴槽Ｙの湯水を加熱して、浴槽Ｙを追焚するようにしてある。
【００１４】
前記燃料電池発電装置Ｂは、周知であるので詳述はしないが、例えば、固体高分子膜を電解質層とするセルの複数を積層状態に設けた固体高分子型に構成し、各セルの燃料極に燃料ガスとして水素含有ガスを供給し、各セルの酸素極に空気を供給して、水素と酸素との電気化学的な反応により発電を行うように構成してあり、セルの積層体（セルスタック）等を冷却した冷却水が排熱として、冷却水循環路１２を通じて前記貯湯暖房装置Ａに循環供給されるようになっている。
【００１５】
前記貯湯タンク１の上部には、上部接続路１３を接続し、その上部接続路１３を介して、前記給湯路７を貯湯タンク１の上部に接続し、水道圧により給水する給水路１４を貯湯タンク１の底部に給水するように設けて、給湯路７を通じて給湯箇所に給湯されるのに伴って、その給湯量と同量の水が水道圧により貯湯タンク１に給水されるように構成してある。前記給水路１４には、逆止弁１５を設けてある。
又、貯湯タンク１内のエアーを抜くエアー放出路１６を、上部接続路１３を介して貯湯タンク１の上部に接続し、そのエアー放出路１６には、エアー放出弁１７を設けてある。
【００１６】
前記給湯路７には、給水路１４から分岐した混合用給水路１８を接続し、その接続箇所に給湯路７からの湯水と混合用給水路１８からの水との混合比を調整自在なミキシングバルブ１９を設けてある。混合用給水路１８にも、逆止弁２０を設けてある。
【００１７】
又、給湯路７におけるミキシングバルブ１９よりも上流側には、逆止弁２１と、バーナ２２ｂの燃焼により湯水を加熱する補助加熱手段としての補助加熱器２２とを上流側から順に設け、更に、補助加熱器２２に流入する湯水の温度を検出する補助加熱器流入サーミスタＴ７と、補助加熱器２２から流出する湯水の温度を検出する出湯サーミスタＴ１とを設けてあり、給湯路７におけるミキシングバルブ１９よりも下流側には、ミキシングバルブ１９にて混合された湯水の温度を検出するミキシングサーミスタＴ２、給湯路７の湯水の流量を調整する給湯用水比例バルブ２３、給湯路７を通流する湯水の流量、即ち、前記給湯箇所に供給される全湯水の流量を検出する全給湯流量センサ２４を上流側から順に設けてある。前記補助加熱器２２は、加熱対象の湯水を通流させる熱交換器２２ａと、その熱交換器２２ａを加熱する前記バーナ２２ｂと、そのバーナ２２ｂに燃焼用空気を供給する燃焼用ファン２２ｃと、バーナ２２ｂへのガス燃料の供給を断続する燃料用電磁弁２２ｄと、バーナ２２ｂへのガス燃料の供給量を調節する燃料用比例弁２２ｅ等を備えて構成してある。
そして、図示しない点火プラグを作動させて、燃料用電磁弁２２ｄを開弁することによりバーナ２２ｂを燃焼させ、燃料用比例弁２２ｅにより、バーナ２２ｂへのガス燃料の供給量を調節することにより、バーナ２２ｂの燃焼量を調節することになる。
【００１８】
又、給湯路７における前記補助加熱器２２と前記ミキシングバルブ１９との間の箇所に、連通路２９を接続し、その連通路２９を前記上部接続路１３を介して貯湯タンク１の上部に接続し、その連通路２９には、連通路電磁弁３０を設けてある。
又、給湯路７における前記給湯用水比例バルブ２３と前記全給湯流量センサ２４との間の箇所と、前記混合用給水路１８における前記ミキシングバルブ１９と前記逆止弁２０との間の箇所とを連通路３１にて接続し、その連通路３１に、手動バルブ３２を設けてある。
【００１９】
前記給湯路７は、前記全給湯流量センサ２４よりも下流側を、前記給湯箇所のうちの台所や洗面所などの図外の給湯栓に給湯する一般給湯路７ａと、前記給湯箇所のうちの浴槽に湯水を供給するための湯張り路７ｂとに分岐してあり、その湯張り路７ｂは、前記風呂用循環路１０のうちの風呂戻り路１０ｒに接続して、その風呂戻り路１０ｒ及び風呂往き路１０ｆの両路を通して浴槽に湯水を供給するように構成してある。
前記湯張り路７ｂには、その湯張り路７ｂを通流する湯水の流量、即ち、前記給湯箇所のうちの浴槽に供給される湯水の流量を検出する湯張り流量センサ２５、湯張り電磁弁２６、バキュームブレーカ２７、２個の湯張り路逆止弁２８を上流側から順に設けてある。
前記風呂用ポンプ１１は、風呂用循環路１０の風呂戻り路１０ｒに設け、その風呂戻り路１０ｒにおける風呂用ポンプ１１よりも下流側には、風呂水流スイッチ４７を設け、上流側には浴槽から戻る湯水の温度を検出する戻り温度センサＴ５を設けてある。
【００２０】
そして、給湯栓に給湯したり浴槽に湯張りするときには、貯湯暖房制御部Ｃにより、出湯サーミスタＴ１及びミキシングサーミスタＴ２の検出情報に基づいて、ミキシングバルブ１９の開度を調整することにより、所望の温度の湯水を供給するようにしてある。
【００２１】
前記加熱用熱媒循環路３７について説明を加えると、加熱用循環路形成流路３７ａを、その一端を前記給湯路７における前記補助加熱器２２と前記ミキシングバルブ１９との間の箇所に接続し、他端を前記給湯路７における前記逆止弁２１と補助加熱器流入サーミスタＴ７との間の箇所に接続して設けて、加熱用循環路形成流路３７ａと前記給湯路７の一部とから加熱用熱媒循環路３７を構成し、前記加熱用循環路形成流路３７ａに、加熱用ポンプ３８を前記補助加熱器２２の出口側に吸い込み作用するように設けてある。
【００２２】
更に、加熱用循環路形成流路３７ａにおける加熱用ポンプ３８よりも上流側部分に、暖房用循環路部分３７ｂと風呂用循環路部分３７ｃとに分岐させた後、再び合流させる分岐部分と、加熱用循環路形成流路３７ａを通流する湯水から空気を分離するエアーセパレータ４３とを上流側から順に設け、前記暖房用循環路部分３７ｂには前記暖房放熱用熱交換器３９と暖房用電磁弁４０とを設け、前記風呂用循環路部分３７ｃには前記風呂放熱用熱交換器４１と風呂用電磁弁４２とを設け、加熱用循環路形成流路３７ａにおける加熱用ポンプ３８よりも下流側部分に、加熱用循環路形成流路３７ａを通流する湯水の流量を検出する加熱用湯水流量センサ４４と、前記加熱用熱交換器４５とを上流側から順に設けてある。
【００２３】
前記エアーセパレータ４３の気相部分に接続したエアー抜き路４６を、貯湯タンク１の底部に接続して、加熱用熱媒循環路３７内のエアーをエアーセパレータ４３にて分離して、エアー抜き路４６を通じて貯湯タンク１内に導き、貯湯タンク１、上部接続路１３及びエアー放出路１６を通じて外部に放出するように構成してある。
【００２４】
前記暖房用熱媒循環路８について説明を加えると、暖房用熱媒循環路８は、前記暖房放熱用熱交換器３９の出口と床暖房パネル２とに接続した暖房往き路８ｆ、床暖房パネル２と暖房放熱用熱交換器３９の入口とに接続した暖房戻り路８ｒ、及び、暖房戻り路８ｒと暖房往き路８ｆとを接続する暖房バイパス路８ｂから構成してある。
前記暖房往き路８ｆには、床暖房パネル２に供給される熱媒の温度を検出する暖房往き温度サーミスタＴ６、床暖房パネル２への熱媒の媒給を断続する熱動弁５７を設けてあり、前記暖房戻り路８ｒには、熱媒の通流方向の上流側から順に、補給水タンク５８、前記暖房用ポンプ９を設けてある。前記補給水タンク５８には、水位の上限を検出する上限センサ５９と下限を検出する下限センサ６０とを設けると共に、給水路１４から分岐した補給水路６１を接続し、その補給水路６１には、補給水電磁弁６２を設けてある。
【００２５】
前記貯湯用湯水循環路３について説明を加えると、貯湯用循環路形成流路３ａを、前記貯湯タンク１の底部と前記給湯路７における前記逆止弁２１よりも上流側箇所とに接続して、貯湯用湯水循環路３を、貯湯用循環路形成流路３ａ、前記給湯路７の一部及び前記上部接続路１３とにより構成し、前記貯湯用循環路形成流路３ａに前記貯湯用ポンプ４を前記貯湯タンク１の底部に対して吸い込み作用するように設けてある。
【００２６】
前記貯湯用循環路形成流路３ａには、前記貯湯用熱交換器Ｅとして、低温側貯湯用熱交換器６と高温側貯湯用熱交換器５とを、湯水通流方向の上流側から順に直列状に設け、更に、高温側貯湯用熱交換器５よりも下流側に、その高温側貯湯用熱交換器５から流出して貯湯タンク１に供給される湯水の温度を検出する貯湯温度サーミスタＴ４を設けてある。
【００２７】
前記貯湯用循環路形成流路３ａにおける貯湯用ポンプ設置箇所よりも貯湯タンク１の底部側に、その貯湯用循環路形成流路３ａの一部を迂回するように放熱路３３を設けると共に、その貯湯用循環路形成流路３ａと放熱路３３との接続部に、湯水を放熱路３３に通流させる放熱状態と通流させない貯湯状態とに切り換え自在に放熱用三方弁３４を設け、更に、放熱路３３にラジエータ３５を設けると共に、そのラジエータ３５に通風するラジエータファン３６を設けてある。
【００２８】
貯湯タンク１内の底部付近の湯水の温度を検出するように、貯湯量上限検出サーミスタＴ３を設け、その貯湯量上限検出サーミスタＴ３が設定温度以上の温度を検出することに基づいて、貯湯タンク１内の貯湯量が上限に達した貯湯量上限状態を検出するように構成してある。
ちなみに、前記給水路１４は、前記放熱路３３におけるラジエータ設置箇所よりも貯湯タンク１の底部側に接続して、前記放熱路３３の一部及び前記貯湯用循環路形成流路３ａの一部を通じて、貯湯タンク１の底部に給水するように設けてある。
【００２９】
前記冷却水循環路１２は、前記燃料電池発電装置Ｂから排出される冷却水を前記高温側貯湯用熱交換器５、前記加熱用熱交換器４５、前記低温側貯湯用熱交換器６の順に通流させて前記燃料電池発電装置Ｂに戻すように配管してある。
【００３０】
そして、貯湯用ポンプ４を作動させて、貯湯タンク１の湯水を、貯湯タンク１の底部から取り出し、低温側貯湯用熱交換器６や高温側貯湯用熱交換器５にて燃料電池発電装置Ｂからの冷却水にて加熱した後、貯湯タンク１の上部に戻す形態で貯湯用湯水循環路３を通じて循環させて、貯湯タンク１内に温度成層を形成しながら貯湯するように構成してある。
【００３１】
又、暖房用電磁弁４０を開弁した状態で、加熱用ポンプ３８を作動させると、加熱用熱交換器４５にて燃料電池発電装置Ｂからの冷却水にて加熱されたり、補助加熱器２２にて加熱された湯水が暖房放熱用熱交換器３９を通流して、その暖房放熱用熱交換器３９にて、加熱用熱媒循環路３７を通流する湯水により暖房用熱媒循環路８を通流する熱媒が加熱される。
又、風呂用電磁弁４２を開弁した状態で、加熱用ポンプ３８を作動させると、加熱用熱交換器４５にて燃料電池発電装置Ｂからの冷却水にて加熱されたり、補助加熱器２２にて加熱された湯水が風呂放熱用熱交換器４１を通流して、その風呂放熱用熱交換器４１にて、加熱用熱媒循環路３７を通流する湯水により風呂用循環路１０を通流する浴槽の湯水が加熱される。
【００３２】
冷却水循環路１２には、冷却水を前記高温側貯湯用熱交換器５を迂回させて通流させる高温側迂回路４８、冷却水を前記加熱用熱交換器４５を迂回させて通流させる加熱用熱交換器迂回路５０、及び、冷却水を前記低温側貯湯用熱交換器６を迂回させて通流させる低温側迂回路５２を設けてある。
又、冷却水循環路１２と高温側迂回路４８との接続部には、冷却水の全量を高温側貯湯用熱交換器５に通流させる高温側非迂回状態と、冷却水の全量を高温側迂回路４８に通流させる高温側迂回状態と、冷却水を高温側貯湯用熱交換器５及び高温側迂回路４８に分流させる分流状態とに切り換え自在で、且つ、その分流状態において分流比を調節自在な分流用三方弁４９を設けてある。つまり、分流用三方弁４９が、分流手段及び高温側迂回手段として機能する。
又、冷却水循環路１２と加熱用熱交換器迂回路５０との接続部には、冷却水の全量を加熱用熱交換器４５に通流させる加熱用熱交換器非迂回状態と、加熱用熱交換器迂回路５０に通流させる加熱用熱交換器迂回状態とに換え自在な加熱用熱交換器迂回用三方弁５１を設けてある。
又、冷却水循環路１２と低温側迂回路５２との接続部には、冷却水の全量を低温側貯湯用熱交換器６に通流させる低温側非迂回状態と低温側迂回路５２に通流させる低温側迂回状態とに切り換え自在な低温側迂回用三方弁５３を設けてある。つまり、低温側迂回用三方弁５３が低温側迂回手段として機能する。
【００３３】
そして、以下に説明するように、分流用三方弁４９、加熱用熱交換器迂回用三方弁５１及び低温側迂回用三方弁５３夫々を操作することにより、冷却水の通流状態を、通常通流状態、分流通流状態、高温側迂回通流状態、加熱用熱交換器迂回通流状態及び両貯湯用熱交換器迂回通流状態に切り換え自在に構成してある。
【００３４】
図１に示すように、前記通常通流状態では、分流用三方弁４９を前記高温側非迂回状態に切り換え、且つ、加熱用熱交換器迂回用三方弁５１を前記加熱用熱交換器非迂回状態に切り換え、且つ、低温側迂回用三方弁５３を前記低温側非迂回状態に切り換えて、冷却水の全量を高温側貯湯用熱交換器５、加熱用熱交換器４５、低温側貯湯用熱交換器６に順次通流させる。
図２に示すように、前記分流通流状態では、加熱用熱交換器迂回用三方弁５１を加熱用熱交換器非迂回状態に切り換え且つ低温側迂回用三方弁５３を前記低温側非迂回状態に切り換えた状態で、分流用三方弁４９を前記分流状態に切り換えると共にその分流比を調節して、冷却水を高温側貯湯用熱交換器５と高温側迂回路４８とに分流させたのち合流させて、加熱用熱交換器４５、低温側貯湯用熱交換器６に順次通流させる。
図３に示すように、前記高温側迂回通流状態では、分流用三方弁４９を前記高温側迂回状態に切り換え、且つ、加熱用熱交換器迂回用三方弁５１を前記加熱用熱交換器非迂回状態に切り換え、且つ、低温側迂回用三方弁５３を前記低温側非迂回状態に切り換えて、冷却水を高温側貯湯用熱交換器５を迂回させる状態で、加熱用熱交換器４５、低温側貯湯用熱交換器６に順次通流させる。
図４に示すように、加熱用熱交換器迂回通流状態では、分流用三方弁４９を前記高温側非迂回状態に切り換え、且つ、加熱用熱交換器迂回用三方弁５１を前記加熱用熱交換器迂回状態に切り換え、且つ、低温側迂回用三方弁５３を前記低温側非迂回状態に切り換えて、冷却水を加熱用熱交換器４５を迂回させる状態で、高温側貯湯用熱交換器５、低温側貯湯用熱交換器６に順次通流させる。
図５に示すように、前記両貯湯用熱交換器迂回通流状態では、分流用三方弁４９を前記高温側迂回状態に切り換え、且つ、加熱用熱交換器迂回用三方弁５１を前記加熱用熱交換器非迂回状態に切り換え、且つ、低温側迂回用三方弁５３を前記低温側迂回状態に切り換えて、冷却水を高温側貯湯用熱交換器５及び低温側貯湯用熱交換器６の両方を迂回させる状態で、加熱用熱交換器４５のみに通流させる。
【００３５】
図１に示すように、貯湯暖房装置Ａに各種制御指令を指令するメインリモコン６３を設け、そのメインリモコン６３には、貯湯暖房装置Ａの運転開始、停止を指令するメイン運転スイッチ（図示省略）、給湯温度を設定する給湯温度設定部（図示省略）、浴槽Ｙへの湯張りを指令する湯張りスイッチ（図示省略）、目標湯張り温度を設定する湯張り温度設定部（図示省略）、及び、浴槽Ｙの追焚を指令する追焚スイッチ６３ａを設けてある。
又、床暖房パネル２にて暖房する暖房対象域には、床暖房リモコン６４、及び、暖房対象域の温度を検出する暖房域サーミスタＴ７を設け、各床暖房リモコン６４には、床暖房運転の開始及び停止を指令する床暖房運転スイッチ６４ａ、暖房目標温度を設定する暖房目標温度設定部６４ｂ等を設けてある。
【００３６】
以下、貯湯暖房制御部Ｃについて説明する。
貯湯暖房制御部Ｃは、燃料電池発電装置Ｂの運転を制御する燃料電池制御部６５との間で各種制御信号を通信可能に構成すると共に、その燃料電池制御部６５からの制御信号、並びに、メインリモコン６３及び床暖房リモコン６４からの制御指令に基づいて、後述する起動昇温運転、暖房優先並行運転、能力調整並行運転、貯湯優先並行運転、貯湯単独運転等の各運転を実行するように構成してある。
【００３７】
説明を加えると、燃料電池制御部６５は、燃料電池発電装置Ｂの運転開始指令が指令されると、貯湯暖房制御部Ｃに起動昇温開始指令信号を送信し、燃料電池発電装置Ｃに供給される冷却水の温度が所定の温度に昇温すると、貯湯暖房制御部Ｃに燃料電池発電装置Ｂが通常運転を開始したことを示す通常運転開始信号を送信し、燃料電池発電装置Ｂの運転停止指令が指令されると、貯湯暖房制御部Ｃに燃料電池発電装置Ｂの運転が停止されたことを示す運転停止信号を送信する。
そして、前記起動昇温運転は、燃料電池制御部６５から前記起動昇温開始指令信号が送信されると開始し、燃料電池制御部６５から前記通常運転開始信号が送信されると停止し、前記暖房優先並行運転、能力調整並行運転、貯湯優先並行運転及び貯湯単独運転は、燃料電池制御部６５から前記通常運転開始信号が送信されてから前記運転停止信号が送信されるまでの間、各運転を開始する運転開始条件が満たされることも基づいて、いずれか一つを選択的に実行する。
【００３８】
つまり、前記暖房優先並行運転を開始するための暖房優先並行運転開始条件は、追焚スイッチ６３ａからの浴槽の追焚指令の有無に係わらず、床暖房運転スイッチ６４ａから床暖房運転開始指令が指令され、且つ、暖房目標温度設定部６４ｂにて設定された暖房目標温度と暖房域サーミスタＴ７の検出温度との偏差、即ち暖房負荷が設定暖房負荷よりも大であることである。前記暖房優先並行運転を停止するための暖房優先並行運転停止条件は、床暖房運転スイッチ６４ａから床暖房運転開始指令が指令されている状態で、前記暖房負荷が前記設定暖房負荷以下であることである。
前記能力調整並行運転を開始するための能力調整並行運転開始条件は、追焚スイッチ６３ａからの浴槽の追焚指令の有無に係わらず、前記暖房優先並行運転停止条件が満たされることである。前記能力調整並行運転を停止するための能力調整並行運転停止条件は、床暖房運転スイッチ６４ａから床暖房運転停止指令が指令されることである。
前記貯湯優先並行運転を開始するための貯湯優先並行運転開始条件は、床暖房運転スイッチ６４ａから床暖房運転停止指令が指令され、且つ、追焚スイッチ６３ａにて浴槽の追焚が指令されることである。前記貯湯優先並行運転を停止するための貯湯優先並行運転停止条件は、戻り温度センサＴ５の検出温度がメインリモコン６３の湯張り温度設定部にて設定された目標湯張り温度になるか、又は、追焚スイッチ６３ａにて追焚の停止が指令されることである。
前記貯湯単独運転を開始するための貯湯単独運転開始条件は、前記能力調整並行運転停止条件及び前記貯湯優先並行運転停止条件の両方が満たされることである。
【００３９】
予め、前記暖房負荷に応じて、熱動弁５７の開弁時間及び閉弁時間を、前記暖房負荷が大になるほど開弁時間のデューティが大きくなるように設定し、それら開弁時間／閉弁時間を、前記暖房負荷に対応させて貯湯暖房制御部Ｃに記憶させてある。
【００４０】
以下、上記の各運転について説明する。
先ず、前記暖房優先並行運転について説明する。
暖房優先並行運転では、分流用三方弁４９、加熱用熱交換器迂回用三方弁５１及び低温側迂回用三方弁５３を冷却水の通流状態が前記高温側迂回通流状態になるように切り換え、暖房用電磁弁４０を開弁し、貯湯用ポンプ４、暖房用ポンプ９及び加熱用ポンプ３８を作動させ、更に、熱動弁５７を連続して開弁する。
又、追焚スイッチ６３ａからの浴槽の追焚が指令されると、風呂用電磁弁４２を開弁すると共に、風呂用ポンプ１１を作動させて追焚を開始する。
【００４１】
図３において太線にて示すように、暖房優先並行運転では、燃料電池発電装置Ｂからの冷却水は、冷却水循環路１２を高温側貯湯用熱交換器５を迂回する状態で、加熱用熱交換器４５、低温側貯湯用熱交換器６の順に通流して、加熱用熱交換器４５にて、加熱用熱媒循環路３７を通流する湯水との熱交換により冷却され、更に、低温側貯湯用熱交換器６にて、貯湯用湯水循環路３を通流する貯湯タンク１の湯水との熱交換により冷却されることにより、適正に冷却される。又、貯湯タンク１の底部から取り出された湯水は、貯湯用湯水循環路３を低温側貯湯用熱交換器６、高温側貯湯用熱交換器５の順に通流し、低温側貯湯用熱交換器６にて、燃料電池発電装置Ｂからの冷却水との熱交換により加熱された後、貯湯タンク１の上部に戻されることから、貯湯タンク１には温度成層を形成する状態で貯湯される。又、加熱用熱媒循環路３７を湯水が加熱用熱交換器４５においては燃料電池発電装置Ｂからの冷却水との熱交換により加熱され、暖房放熱用熱交換器３９においては暖房用熱媒循環路８を通流する熱媒との熱交換により冷却される状態で循環し、暖房用熱媒循環路８を熱媒が暖房放熱用熱交換器３９においては加熱用熱媒循環路３７を通流する湯水との熱交換により加熱され、床暖房パネル２において保有熱を放熱する状態で循環して、床暖房パネル２での放熱により暖房対象域が暖房される。
【００４２】
そして、暖房優先並行運転では、燃料電池発電装置Ｂからの冷却水は、高温側貯湯用熱交換器５を迂回する状態で、加熱用熱交換器４５、低温側貯湯用熱交換器６の順に通流するので、加熱用熱交換器４５での排熱の回収量を多くすることが可能となって、暖房能力を向上することができる。ちなみに、暖房優先並行運転では、加熱用熱交換器４５及び低温側貯湯用熱交換器６夫々において、５０％程度ずつ排熱を回収するようにすることができる。
貯湯タンク１の底部から取り出された湯水の温度が１５°Ｃ程度であるとすると、７５°Ｃ程度で燃料電池発電装置Ｂから排出された冷却水は、加熱用熱交換器４５にて５５°Ｃ程度に冷却され、低温側貯湯用熱交換器６にて２５°Ｃ程度にまで冷却されることになる。
又、貯湯タンク１の底部から１５°Ｃ程度で取り出された貯湯タンク１の湯水は、低温側貯湯用熱交換器６にて５５°Ｃ程度に加熱された後、貯湯タンク１に戻される。
【００４３】
前記能力調整並行運転では、分流用三方弁４９、加熱用熱交換器迂回用三方弁５１及び低温側迂回用三方弁５３を冷却水の通流状態が前記分流通流状態になるように切り換えると共に、分流用三方弁４９を貯湯温度サーミスタＴ４の検出温度が所定の設定貯湯温度になるように制御し、暖房用電磁弁４０を開弁し、貯湯用ポンプ４、暖房用ポンプ９及び加熱用ポンプ３８を作動させ、更に、熱動弁５７を前記暖房負荷に応じた開弁時間／閉弁時間にて間欠的に開弁する。
【００４４】
図２において太線にて示すように、能力調整並行運転では、燃料電池発電装置Ｂからの冷却水は、冷却水循環路１２を高温側貯湯用熱交換器５と高温側迂回路４８とに分流したのち合流して加熱用熱交換器４５、低温側貯湯用熱交換器６の順に通流して、高温側貯湯用熱交換器５にて、貯湯用湯水循環路３を通流する貯湯タンク１の湯水との熱交換により冷却され、続いて、加熱用熱交換器４５にて、加熱用熱媒循環路３７を通流する湯水との熱交換により冷却され、更に、低温側貯湯用熱交換器６にて、貯湯用湯水循環路３を通流する貯湯タンク１の湯水との熱交換により冷却されることにより、適正に冷却される。又、貯湯タンク１の底部から取り出された湯水は、貯湯用湯水循環路３を低温側貯湯用熱交換器６、高温側貯湯用熱交換器５の順に通流し、低温側貯湯用熱交換器６及び高温側貯湯用熱交換器５夫々にて、燃料電池発電装置Ｂからの冷却水との熱交換により加熱された後、貯湯タンク１の上部に戻されることから、貯湯タンク１には温度成層を形成する状態で貯湯される。又、加熱用熱媒循環路３７を湯水が加熱用熱交換器４５においては燃料電池発電装置Ｂからの冷却水との熱交換により加熱され、暖房放熱用熱交換器３９においては暖房用熱媒循環路８を通流する熱媒との熱交換により冷却される状態で循環し、暖房用熱媒循環路８を熱媒が暖房放熱用熱交換器３９においては加熱用熱媒循環路３７を通流する湯水との熱交換により加熱され、床暖房パネル２においては保有熱を放熱する状態で循環して、床暖房パネル２での放熱により暖房対象域が暖房される。
【００４５】
そして、能力調整並行運転では、貯湯タンク１に戻される湯水の温度が前記設定貯湯温度になるよう燃料電池発電装置Ｂからの冷却水が高温側貯湯用熱交換器５と加熱用熱交換器４５とに分流されることになる。ちなみに、能力調整並行運転転では、高温側貯湯用熱交換器５、加熱用熱交換器４５、低温側貯湯用熱交換器６の排熱回収割合を夫々、例えば、１０％、４０％、５０％程度に設定することができる。
貯湯タンク１の底部から取り出された湯水の温度が１５°Ｃ程度であるとすると、７５°Ｃ程度で燃料電池発電装置Ｂから排出された冷却水は、高温側貯湯用熱交換器５にて６５°Ｃ程度に冷却され、加熱用熱交換器４５にて５５°Ｃ程度に冷却され、低温側貯湯用熱交換器６にて２５°Ｃ程度にまで冷却されることになる。
又、貯湯タンク１の底部から１５°Ｃ程度で取り出された貯湯タンク１の湯水は、低温側貯湯用熱交換器６にて５５°Ｃ程度に加熱され、高温側貯湯用熱交換器５にて６５°Ｃに加熱され後、貯湯タンク１に戻される。
又、加熱用熱媒循環路３７を通流する湯水は、加熱用熱交換器４５にて６５°Ｃ程度に加熱され、暖房放熱用熱交換器３９にて５５°Ｃ程度に冷却されて、加熱用熱交換器４５に戻り、暖房用熱媒循環路８を通流する熱媒は、暖房放熱用熱交換器３９にて６０°Ｃ程度に加熱され、床暖房パネルでの放熱により５０°Ｃ程度に冷却されて暖房放熱用熱交換器３９に戻される。
【００４６】
上記のように暖房優先並行運転又は能力調整並行運転を実行しているときに、追焚スイッチ６３ａにて浴槽の追焚が指令されると、風呂用電磁弁４２を開弁すると共に、風呂用ポンプ１１を作動させて追焚を開始し、戻り温度センサＴ５の検出温度がメインリモコン６３の湯張り温度設定部にて設定された目標湯張り温度になるか、又は、前記追焚スイッチ６３ａにて追焚の停止が指令されると、風呂用電磁弁４２を閉弁すると共に、風呂用ポンプ１１を停止させて追焚を停止する。
【００４７】
前記貯湯優先並行運転では、分流用三方弁４９、加熱用熱交換器迂回用三方弁５１及び低温側迂回用三方弁５３を冷却水の通流状態が前記通常通流状態になるように切り換え、風呂用電磁弁４２を開弁し、貯湯用ポンプ４、風呂用ポンプ１１及び加熱用ポンプ３８を作動させる。
【００４８】
図１において太線にて示すように、貯湯優先並行運転では、燃料電池発電装置Ｂからの冷却水は、冷却水循環路１２を高温側貯湯用熱交換器５、加熱用熱交換器４５、低温側貯湯用熱交換器６の順に通流して、高温側貯湯用熱交換器５にて、湯用湯水循環路１２を通流する貯湯タンク１の湯水との熱交換により冷却され、続いて、加熱用熱交換器４５にて、加熱用熱媒循環路３７を通流する湯水との熱交換により冷却され、更に、低温側貯湯用熱交換器６にて、貯湯用湯水循環路３を通流する貯湯タンク１の湯水との熱交換により冷却されることにより、適正に冷却される。又、貯湯タンク１の底部から取り出された湯水は、貯湯用湯水循環路３を低温側貯湯用熱交換器６、高温側貯湯用熱交換器５の順に通流し、低温側貯湯用熱交換器６及び高温側貯湯用熱交換器５夫々にて、燃料電池発電装置Ｂからの冷却水との熱交換により加熱された後、貯湯タンク１の上部に戻されることから、貯湯タンク１には温度成層を形成する状態で貯湯される。又、加熱用熱媒循環路３７を湯水が加熱用熱交換器４５においては燃料電池発電装置Ｂからの冷却水との熱交換により加熱され、風呂放熱用熱交換器４１においては風呂用循環路１０を通流する浴槽の湯水との熱交換により冷却される状態で循環し、風呂用循環１０を浴槽の湯水が風呂放熱用熱交換器４１にて加熱用熱媒循環路３７を通流する湯水との熱交換により加熱されて、浴槽が追焚される。
【００４９】
前記貯湯単独運転では、分流用三方弁４９、加熱用熱交換器迂回用三方弁５１及び低温側迂回用三方弁５３を冷却水の通流状態が前記加熱用熱交換器迂回通流状態になるように切り換え、且つ、貯湯用ポンプ４を作動させ、且つ、加熱用ポンプ３８を停止させる。
図４に示すように、貯湯単独運転では、燃料電池発電装置Ｂからの冷却水は、冷却水循環路１２を、加熱用熱交換器４５を迂回する状態で、高温側貯湯用熱交換器５、貯湯用熱交換器６の順に通流して、高温側貯湯用熱交換器５にて、貯湯用湯水循環路３を通流する貯湯タンク１の湯水との熱交換により冷却され、続いて、低温側貯湯用熱交換器６にて、貯湯用湯水循環路３を通流する貯湯タンク１の湯水との熱交換により冷却されることにより、適正に冷却される。又、貯湯タンク１の底部から取り出された湯水は、貯湯用湯水循環路３を低温側貯湯用熱交換器６、高温側貯湯用熱交換器５の順に通流し、低温側貯湯用熱交換器６及び高温側貯湯用熱交換器５夫々にて、燃料電池発電装置Ｂからの冷却水との熱交換により加熱された後、貯湯タンク１の上部に戻されることから、貯湯タンク１には温度成層を形成する状態で貯湯される。
【００５０】
暖房優先並行運転及び能力調整並行運転のいずれかを実行中は、暖房往き温度サーミスタＴ６の検出温度が設定燃焼開始温度以下になると、出湯サーミスタＴ１の検出温度が所定の設定出湯温度になるように燃焼量を調節する設定燃焼条件にて補助加熱器２２のバーナ２２ｂを燃焼させ、暖房往き温度サーミスタＴ６の検出温度が前記指令要求暖房能力に対応する設定燃焼停止温度以上になるとバーナ２２ｂを消火する形態で、補助加熱器２２のバーナ２２ｂを間欠的に燃焼させる。又、貯湯優先並行運転の実行中は、補助加熱器流入サーミスタＴ７の検出温度が前記設定出湯温度よりも低くなると前記設定燃焼条件にて補助加熱器２２のバーナ２２ｂを燃焼させる。
【００５１】
又、暖房優先並行運転、能力調整並行運転、貯湯優先並行運転及び貯湯単独運転のいずれかを実行中は、貯湯暖房制御部Ｃは、貯湯量上限検出サーミスタＴ３の検出情報に基づいて、前記貯湯量上限状態でないときは前記放熱用三方弁３４を前記貯湯状態に切り換え、貯湯量上限状態のときは前記放熱用三方弁３４を前記放熱状態に切り換えると共に、前記ラジエータファン３６を作動させる。
従って、貯湯タンク１内の貯湯量が上限に達すると、貯湯タンク１の底部から取り出した湯水をラジエータ３５にて冷却した後、低温側貯湯用熱交換器６及び高温側貯湯用熱交換器５に通流させるようにして、それら低温側貯湯用熱交換器６及び高温側貯湯用熱交換器５にて燃料電池発電装置Ｂからの冷却水を所定通りに冷却するように構成してある。
【００５２】
前記起動昇温運転では、分流用三方弁４９、加熱用熱交換器迂回用三方弁５１及び低温側迂回用三方弁５３を冷却水の通流状態が前記両貯湯用熱交換器迂回通流状態になるように切り換え、風呂用電磁弁４２を開弁し、暖房用電磁弁４０を閉弁し、加熱用ポンプ３８を作動させ、貯湯用ポンプ４、暖房用ポンプ９及び風呂用ポンプ１１を停止させた状態で、出湯サーミスタＴ１の検出温度が所定の起動昇温用の設定温度になるように、バーナ２２ｂの燃焼量を調節する。
図５に示すように、この起動昇温運転では、補助加熱器２２にて加熱された湯水が加熱用熱媒循環路３７を循環し、燃料電池発電装置Ｂからの冷却水は高温側貯湯用熱交換器５及び低温側貯湯用熱交換器６の両方を迂回する状態で加熱用熱交換器４５を通流し、加熱用熱交換器４５にて、加熱用熱媒循環路３７を通流する湯水にて冷却水循環路１２を通流する冷却水が加熱されるので、燃料電池発電装置Ｂの起動時間を短縮することが可能となる。
【００５３】
〔別実施形態〕
次に別実施形態を説明する。
（イ）  発電手段の具体例としては、上記の実施形態において例示した燃料電池発電装置Ｂに限定されるものではなく、例えば、エンジンにて駆動される発電装置でも良い。この場合、エンジンを冷却する冷却水が冷却水循環路１２を通じて循環することになる。
【００５４】
（ロ）  上記の実施形態においては、加熱用熱交換器４５にて燃料電池発電装置Ｂからの冷却水との熱交換により加熱された熱媒を暖房放熱用熱交換器３９に循環させて、その暖房放熱用熱交換器３９において、暖房端末器に循環される熱媒を加熱するように構成したが、加熱用熱交換器４５にて燃料電池発電装置Ｂからの冷却水との熱交換により加熱された熱媒を、直接暖房端末器に循環させるように構成しても良い。
【００５５】
（ハ）  上記の各実施形態では、床暖房リモコン６４の床暖房運転スイッチ６４ａから床暖房運転開始指令が指令されたときは、冷却水の通流状態を前記分流通流状態にした状態で、暖房用電磁弁４０、貯湯用ポンプ４、暖房用ポンプ９、加熱用ポンプ３８及び熱動弁５７を上述のように制御して暖房運転を実行する場合について例示したが、暖房運転を実行するときの冷却水の通流状態は、前記分流通流状態に限定されるものではない。例えば、冷却水の通流状態を前記通常通流状態に切り換えた状態で、暖房運転を実行するように構成しても良い。
【００５６】
（ニ）  前記能力調整並行運転において、分流用三方弁４９を補助加熱器流入サーミスタＴ７の検出温度が所定の設定温度になるように制御して、排熱を暖房用に優先して回収するようにしても良い。
【００５７】
（ホ）  暖房部Ｗを構成する暖房端末器の具体例としては、として、上記の実施形態において例示した床暖房パネル２に限定されるものではなく、例えば、ファンコイルユニットでも良い。
又、前記暖房端末器として、複数の暖房端末器を設けてもよいし、複数の暖房端末器を設ける場合に、床暖房パネル２及びファンコイルユニット等、異種のものを混在させて設けても良い。
【図面の簡単な説明】
【図１】実施形態にかかるコージェネレーションシステムの全体構成、及び、貯湯優先並行運転における流動状態を示すブロック図
【図２】能力調整並行運転における流動状態を示すブロック図
【図３】暖房優先並行運転におけるる流動状態を示すブロック図
【図４】貯湯単独運転における流動状態を示すブロック図
【図５】起動昇温運転におけるる流動状態を示すブロック図
【符号の説明】
１    貯湯タンク
３    貯湯用湯水循環路
５    高温側貯湯用熱交換器
６    低温側貯湯用熱交換器
１２  冷却用流体循環路
２２  補助加熱手段
３７  加熱用熱媒循環路
４５  加熱用熱交換器
４９  分流手段、高温側迂回手段
５３  低温側迂回手段
Ｂ    発電手段
Ｅ    貯湯用熱交換器
Ｈ    放熱部
【図１】
2004340439.tif 000003
【図２】
2004340439.tif 000004
【図３】
2004340439.tif 000005
【図４】
2004340439.tif 000006
【図５】
2004340439.tif 000007